(57)【要約】【課題】  方向性を示すとともに、全体的に大きく光って見えるようにすることができる工事灯を提供する。【解決手段】  発光素子１０を３個以上直線的に配列し、発光素子１０の周囲をマイクロプリズム反射シート１１で取り囲む。反射シート１１のうちの各発光素子１０に対応する位置に窓部１２を設ける。発光素子１０および反射シート１１の周囲を透明または透光性の外側カバー３でさらに取り囲む。各発光素子１０を、配列順に比較的に短い一定期間ずつ順次周期的に点滅させる。反射シート１１のうちの窓部１２以外の部分は、プリズム層により、外部から入射する光は外部へ再帰反射するが、内部の発光素子１０から発せられた光は散乱して外部へ透過する特性を有する一方、窓部１２は、プリズム層を有さず、プリズム層を介することなく光を透過する。【選択図】    図７
2006112085.tif 000002
【特許請求の範囲】
【請求項１】
少なくとも１列、かつ１列につき３個以上、直線的に配列された発光素子と、これらの発光素子の周囲を取り囲むマイクロプリズム反射シートと、このマイクロプリズム反射シートのうちの各前記発光素子に対応する位置にそれぞれ設けられた窓部と、前記発光素子および前記マイクロプリズム反射シートの周囲を取り囲む透明または透光性の外側カバーと、各前記発光素子を、配列順に比較的に短い一定期間ずつ順次周期的に点滅させる制御回路とを有してなり、
前記マイクロプリズム反射シートのうちの前記窓部以外の部分は、プリズム層を有することにより、外部から前記外側カバーを通して入射する光は外部へ再帰反射するが、内部の前記発光素子から発せられた光は散乱して外部へ透過する特性を有する一方、前記窓部は、前記プリズム層を有さず、前記プリズム層を介することなく光を透過するようになっている工事灯。
【請求項２】
前記窓部は透明または穴とされている請求項１記載の工事灯。
【請求項３】
前記発光素子は上下方向に配列されており、前記制御回路は、下側の前記発光素子から上側の前記発光素子へと前記一定期間ずつ順次点滅させ、一番上の前記発光素子を点滅させた次は、一番下の前記発光素子を点滅させ、以下同様の動作を繰り返す請求項１または２記載の工事灯。
【発明の詳細な説明】
【技術分野】
【０００１】
本発明は、道路工事現場等において、通行車両、通行人、作業者等の安全を確保するために、コーン、バリケード、ガードレール等に取り付けられて設置され、点滅して、注意を喚起する工事灯に関する。
【背景技術】
【０００２】
従来のこの種の工事灯は、特許文献１乃至３等に示されているように、白熱電球やＬＥＤからなる発光部を単純に点滅させる構成となっていた。
【特許文献１】特開平７−２１６８３４号公報
【特許文献２】特開２００３−３１９８３３号公報
【特許文献３】特開２００４−１００２２４号公報
【発明の開示】
【発明が解決しようとする課題】
【０００３】
前述のように、従来の工事灯は、白熱電球やＬＥＤからなる発光部を単純に点滅させる構成となっていたので、通行車両、通行人等には、どちらの方向に進んで行くべきかの方向性は示せないという問題があった。
【０００４】
なお、特許文献１に開示されている工事灯（標識灯）においては、複数個設置した場合は、各工事灯のスイッチの投入タイミングを順次異ならせることにより、複数個の工事灯のグループ全体としては発光部が連続して移動し、あたかも光が一方向に流れるように見せることができるが、各工事灯のスイッチの投入順序と投入タイミングを調整するのが面倒であるとともに、１個１個の工事灯毎には方向性を示せないという問題があった。
【０００５】
本発明は、このような従来の事情に鑑みてなされたもので、本発明の１つの目的は、１個１個の工事灯毎に、通行車両、通行人等に、どちらの方向に進んで行くべきかの方向性を示すことができるようにした工事灯を提供することにある。
【０００６】
本発明の他の目的は、全体的に大きく光って見えるようにし、視認性、注意喚起力を高めることができる工事灯を提供することにある。
【０００７】
本発明のさらに他の目的は、以下の説明から明らかになろう。
【課題を解決するための手段】
【０００８】
本発明による工事灯は、少なくとも１列、かつ１列につき３個以上、直線的に配列された発光素子と、これらの発光素子の周囲を取り囲むマイクロプリズム反射シートと、このマイクロプリズム反射シートのうちの各前記発光素子に対応する位置にそれぞれ設けられた窓部と、前記発光素子および前記マイクロプリズム反射シートの周囲を取り囲む透明または透光性の外側カバーと、各前記発光素子を、配列順に比較的に短い一定期間ずつ順次周期的に点滅させる制御回路とを有してなり、
前記マイクロプリズム反射シートのうちの前記窓部以外の部分は、プリズム層を有することにより、外部から前記外側カバーを通して入射する光は外部へ再帰反射するが、内部の前記発光素子から発せられた光は散乱して外部へ透過する特性を有する一方、前記窓部は、前記プリズム層を有さず、前記プリズム層を介することなく光を透過するようになっているものである。
【０００９】
本発明の工事灯においては、各発光素子から発せられた光の一部は、マイクロプリズム反射シートの対応する窓部を通して外部に射出される。また、各発光素子から発せられた光の残りの部分（窓部を通らなかった部分）は、マイクロプリズム反射シートのプリズム層により乱反射されながら透過されることにより、外部へ散乱して放射される。
【００１０】
そして、制御回路が各発光素子を、配列順に比較的に短い一定期間ずつ順次周期的に点滅させることにより、各発光素子から各窓部を通過して外部に射出される光によって、外部からは発光部が周期的に点滅しながらあたかも直線的に移動して行くように見えるので、通行車両、通行人等は、発光部が移動する方向に進めばよいことを、直感的に理解することができる。
【００１１】
また、各発光素子から発せられた光のうちの窓部を通らなかった部分は、前記のようにマイクロプリズム反射シートのプリズム層により外部へ散乱して放射されるので、通行車両の運転者、通行人等には工事灯全体が光っているように見えるため、全体的に大きく光って見えるようにすることができ、視認性、注意喚起力を高めることができる。
【００１２】
さらに、通行車両のライトが外部から工事灯に当たると、その光はマイクロプリズム反射シートにより当該通行車両の方に再帰反射するので、当該通行車両の運転者には工事灯全体が強く光っているように見えるため、この場合も、全体的に大きく光って見えるようにすることができ、視認性、注意喚起力を高めることができる。
【発明の効果】
【００１３】
本発明の工事灯は、
（イ）１個１個の工事灯毎に、通行車両、通行人等に、どちらの方向に進んで行くべきかの方向性を示すことができる、
（ロ）全体的に大きく光って見えるようにすることができ、視認性、注意喚起力を高めることができる、
等の優れた効果を得られる。
【発明を実施するための最良の形態】
【００１４】
以下、本発明を図面に示す実施例に基づいて説明する。
【実施例】
【００１５】
図１〜１４は、本発明の一実施例を示している。工事灯１の筺体は、円筒状の筒状体２と、外側カバー３とからなる。前記筒状体２は、プラスチックからなり、不透明とされており、その上端部は開放されている一方、下端部は閉じられている。前記筒状体２の外側面には、突起４，５が設けられている。これらの突起４，５は、コーン６（図１４参照）に筒状体２を嵌合することによりコーン６に工事灯１を装着する際に、コーン６から筒状体２が抜け落ちないようにするためのものである。前記筒状体２の下端部にはスイッチ７が取り付けられている（図６および７参照）。前記外側カバー３はプラスチックからなり、前面側３ａと背面側３ｂとに２分割して成形されたものを結合してなる。この外側カバー３は全体に透明とされていて、筒状体２の上端部に取り付けられている。なお、外側カバー３は透光性であってもよいし、例えば後述するマイクロプリズム反射シート１１の窓部１２付近は透明、他の部分は透光性というように、部分的に透明、部分的に透光性としてもよい。
【００１６】
図７〜９に示されるように、前記筒状体２および外側カバー３内には、該筒状体２および外側カバー３に取り付けられた状態で、２枚の基板８，９が互いに平行とされて若干の間隙を介して対向されて収容されている。各基板８，９のうちの外側カバー３内に収容されている部分には、それぞれ５個のＬＥＤランプ１０が上下方向に直線的に１列に並べられて取り付けられている。前面側の基板８に取り付けられたＬＥＤランプ１０は前方に向けられる一方、背面側の基板９に取り付けられたＬＥＤランプ１０は後方に向けられている。
【００１７】
前記外側カバー３内には、該カバー３に取り付けられた状態で、２枚のマイクロプリズム反射シート１１が収容されており、各マイクロプリズム反射シート１１は外側カバー３の内面に沿って折り曲げられた状態で、ＬＥＤランプ１０の周囲を取り囲んでいる。各マイクロプリズム反射シート１１のうちのＬＥＤランプ１０に対応する位置には、透明な円形の窓部１２が設けられている。図１１は、窓部１２以外の部分における反射シート１１の拡大横断面図を示しており、それぞれ透明なプラスチックからなるプリズム層１３および支持材層１４を有しており、プリズム層１３と支持材層１４との間には空気層１５が設けられている。前記プリズム層１３の内面（支持材層１４側の面）には微細なプリズム突起群１６が設けられている。前記マイクロプリズム反射シート１１は、プリズム層１３が外側（外側カバー３の内面側）、支持材層１４が内側（ＬＥＤランプ１０側）に来るようにして外側カバー３内に収容されている。したがって、プリズム突起群１６は内側に向かって突出している。
【００１８】
前記マイクロプリズム反射シート１１の窓部１２以外の部分は、前記プリズム層１３を有することにより、外部から外側カバー３を通して入射する光は外部へ再帰反射する（入射光を光源方向に反射する）が、内部のＬＥＤランプ１０から発せられた光は乱反射しながら透過することにより、外部へ散乱して放射する特性を有している。
【００１９】
前記窓部１２はプリズム層１３を除去され、支持材層１４のみとされることにより、透明とされている。したがって、これらの窓部１２においては、外部からの光はそのまま内部へ透過し、内部のＬＥＤランプ１０からの光もそのまま外部へ透過する。なお、本発明においては、支持材層１４を透明ではなく、透光性を有するようにしてもよい。
【００２０】
前記外側カバー３内の最上部には、太陽電池１７が収容されている。図１２は、この工事灯１の制御系のブロック図を示している。前記基板８，９に設けられた制御回路１８（図１２にのみ図示）は、スイッチ７が閉じられると、前面側および背面側のＬＥＤランプ１０の列をそれぞれ図１３に示されるような態様で点滅させる。なお、図１３においては、時間の経過とともに（ａ），（ｂ），…（ｆ）のように各ＬＥＤランプ１０の駆動状態が遷移することとするとともに、周期的に点滅しているランプを実線で示し、継続的に消灯しているランプは点線で示している。まず制御回路１８は、（ａ）のように一番下のランプ１０を一定期間周期的に点滅させ、次に（ｂ）のように下から２番目のランプ１０を一定期間周期的に点滅させるというようにして、（ａ）〜（ｅ）のように下側のランプ１０から上側のランプ１０に向かって各ランプ１０を比較的に短い一定期間ずつ順次周期的に点滅させる（前面側および背面側のランプ１０のそれぞれの列につき、ある１つの期間に点滅させているのはそれぞれ１個のランプ１０のみである）。そして、（ｅ）のように一番上のランプ１０を周期的に点滅させた次は、（ｆ）のように一番下のランプ１０を周期的に点滅させ、以下同様の動作を繰り返す。前記制御回路１８およびＬＥＤランプ１０は、太陽電池１７を電源としている。
【００２１】
この工事灯１は、例えば道路工事現場において、図１４のようにコーン６に取り付けたり、バリケード、ガードレール等（図示せず）に取り付けたりして、道路脇等に設置することにより、通行車両等の進路に沿って設置する（通常、多数設置する）。
【００２２】
各ＬＥＤランプ１０から発せられた光の一部は、マイクロプリズム反射シート１１の対応する窓部１２をそのまま透過して外部に射出される。そして、制御回路１８により、各ＬＥＤランプ１０が前述のように順次周期的に点滅されることにより、外部からは点状の発光部が周期的に点滅しながらあたかも下から上に直線的に移動して行くように見えるので、通行車両、通行人等は、発光部が移動する方向に進めばよいことを、直感的に理解することができる。
【００２３】
特許文献１に開示されている工事灯（標識灯）においては、複数個設置し、かつ各工事灯のスイッチの投入順序と投入タイミングを調整しなければ、光が一方向に流れるように見せることができなかったが、この工事灯１は、１個１個の工事灯１毎に方向性を示すことができ、複数の工事灯１のスイッチの投入順序と投入タイミングを調整するような手間を必要としない。
【００２４】
また、各ＬＥＤランプ１０から発せられた光の残りの部分（窓部１２を通らなかった部分）は、マイクロプリズム反射シート１１により乱反射されながら該反射シート１１を透過することにより、外部へ散乱して放射される。したがって、通行車両の運転者、通行人等には工事灯全体が光っているように見えるため、光っている部分を全体的に大きく見せ、視認性、注意喚起力を高めることができる。なお、窓部１２を通して見えるＬＥＤランプ１０の光の方が、マイクロプリズム反射シート１１の窓部１２以外の部分を透過して来るＬＥＤランプ１０の光より明るく見えるので、前者の光による前記発光部の直線的移動が後者の光の影響で不明確になってしまうようなことはない。
【００２５】
さらに、通行車両のライトが外部から工事灯１に当たると、その光はマイクロプリズム反射シート１１により当該通行車両の方に再帰反射するので、当該通行車両の運転者には工事灯１全体が強く光っているように見えるため、この場合も、光っている部分を全体的に大きく見せ、視認性、注意喚起力を高めることができる。
なお、前記実施例では、発光素子としてＬＥＤランプを使用しているが、本発明においては白熱電球等の他の種の発光素子を使用してもよい。
【００２６】
また、前記実施例では、ＬＥＤランプ１０を前面側および背面側にそれぞれ１列設けているが、本発明においては、発光素子を前面側および背面側にそれぞれ２列以上設けてもよい。また、工事灯１の前面側にのみ発光素子の列を設けてもよい。
【００２７】
また、前記実施例では、ＬＥＤランプ１０を上下方向に並べているが、場合によっては、横方向に並べてもよい。
【００２８】
また、前記実施例では、マイクロプリズム反射シート１１の窓部１２をプリズム層１３を有さない透明部分としているが、プリズム層１３を有さない透光性部分としたり、完全な穴とすることにより、同様の特性を示すようにしてもよい。
【００２９】
また、発光素子の点灯モードを切り替え可能として、状況に応じて前述のような態様以外で発光素子を点滅させることができるようにしてもよい。
【産業上の利用可能性】
【００３０】
以上のように本発明による工事灯は、道路工事現場等において、通行車両、通行人、作業者等の安全を確保するための工事灯として有用である。
【図面の簡単な説明】
【００３１】
【図１】本発明による工事灯の一実施例を示す斜視図である。
【図２】前記実施例を示す正面図である。
【図３】前記実施例を示す側面図である。
【図４】前記実施例を示す平面図である。
【図５】前記実施例を示す背面図である。
【図６】前記実施例を示す底面図である。
【図７】図２のＶＩＩ−ＶＩＩ線における断面図である。
【図８】図７の一部拡大断面図である。
【図９】図２のＩＸ−ＩＸ線における断面図である。
【図１０】前記実施例を、外側カバーを除去して示す斜視図である。
【図１１】前記実施例におけるマイクロプリズム反射シートの窓部以外の部分を示す拡大断面図である。
【図１２】前記実施例における制御系のブロック図である。
【図１３】前記実施例においてＬＥＤランプを周期的に点滅させる態様を示す説明図である。
【図１４】前記実施例をコーンに取り付けた状態を示す正面図である。
【符号の説明】
【００３２】
１    工事灯
３    外側カバー
１０    ＬＥＤランプ（発光素子）
１１    マイクロプリズム反射シート
１２    窓部
１３    プリズム層
１８    制御回路
【図１】
2006112085.tif 000003
【図２】
2006112085.tif 000004
【図３】
2006112085.tif 000005
【図４】
2006112085.tif 000006
【図５】
2006112085.tif 000007
【図６】
2006112085.tif 000008
【図７】
2006112085.tif 000009
【図８】
2006112085.tif 000010
【図９】
2006112085.tif 000011
【図１０】
2006112085.tif 000012
【図１１】
2006112085.tif 000013
【図１２】
2006112085.tif 000014
【図１３】
2006112085.tif 000015
【図１４】
2006112085.tif 000016